(57)【特許請求の範囲】
【請求項１】
液状化粧料を含浸可能な弾性体よりなる塗布部材と、
棒状の軸部、及び該軸部の一方の端に備えられる把持部、及び該軸部の他方の端に備えられる前記塗布部材を係止可能な塗布部を備える
本体部と、を備えた化粧料塗布具であって、
前記本体部の前記塗布部は、
前記軸部から軸線方向へ延びる台座部と、
前記台座部の長手方向に列となり該台座部より直立して設けられている複数の櫛歯から成る長手方向櫛歯と、
前記台座部先端の短手方向に列となり該台座部より直立して設けられている複数の櫛歯から成る短手方向櫛歯と、
前記台座部に設けられる貫通孔と、
前記櫛歯の間に設けられ、前記台座部から垂直方向に直立し、その頂点部分には該台座部の内方向に突出している突起を形成して成り、前記塗布部材を前記塗布部に係止するための複数の係止部材と、
を更に備え、
前記係止部材の前記突起は、前記塗布部に前記塗布部材を係止する際に該塗布部材の天面の端に位置するように設けられていることを特徴とする化粧料塗布具。
【請求項２】
前記長手方向櫛歯は、前記塗布部に係止されている前記塗布部材の長手方向の両側に位置するように設けられていることを特徴とする請求項１に記載の化粧料塗布具。
【請求項３】
前記長手方向櫛歯は、短手方向に沿って複数列が前記塗布部に設けられていることを特徴とする請求項１又は２に記載の化粧料塗布具。
【請求項４】
前記塗布部材の天面は、前記塗布部に係止した際、前記長手方向櫛歯及び前記短手方向櫛歯における各櫛歯の頂点位置より低い位置にあることを特徴とする請求項１〜３に記載の化粧料塗布具。
【請求項５】
前記係止部材は、前記長手方向櫛歯の櫛歯の間に設けられ、前記塗布部材の天面の端に前記突起が位置するように備えられていることを特徴とする請求項１〜４に記載の化粧料塗布具。
【請求項６】
前記係止部材は、前記短手方向櫛歯の櫛歯の間に設けられ、前記塗布部材の天面の端に前記突起が位置するように備えられていることを特徴とする請求項１〜４に記載の化粧料塗布具。
【請求項７】
前記係止部材は、前記長手方向櫛歯及び前記短手方向櫛歯の櫛歯の間に設けられ、前記塗布部材の天面の端に前記突起が位置するように備えられていることを特徴とする請求項１〜４に記載の化粧料塗布具。

【請求項８】
前記軸部は、軸線方向の途中で屈曲していることを特徴とする請求項１〜７に記載の化粧料塗布具。
【請求項９】
前記軸部は、外周面軸線方向に延びるようにして少なくとも１以上の角部が形成されていることを特徴とする請求項１〜８に記載の化粧料塗布具。
【発明の詳細な説明】
【技術分野】
【０００１】
本発明は、液状化粧料を塗布するのに用いる化粧料塗布具に関する。
【背景技術】
【０００２】
毛髪に用いる化粧料においては、ヘアマニキュア、白髪染め、整髪料、等種々あり、それら毛髪用化粧料を毛髪に塗布する際には多数の櫛歯を備えた櫛あるいはブラシ等の塗布具を用いるのが一般的である。
【０００３】
しかし、実際に毛髪へ化粧料を塗布する際には、これら櫛やブラシを用いる前にユーザ自らの手で化粧料を毛髪へ付着させた後に使用する場合も多く、ユーザは手に残った化粧料を洗い流す手間があった。
また、化粧料を塗布具に付着させて使用する場合は、櫛歯には充分な量の化粧料が付着しないことも多く、何度も塗布具に化粧料を付着させる手間がかかると共に効率も悪かった。
【０００４】
上記のような問題を解決するために、化粧料を保持する為の部材を備えた塗布具が種々提案されている。          
例えば、下記文献１には、塗布部５に複数の櫛歯６が一列に配設され、この櫛歯６の内部に設けられる通孔６ａ内に化粧料保持部材７が挿通して設けられることにより、化粧料保持部材７に含浸させた化粧料を毛髪に塗布することができる毛髪用化粧料塗布具が記載されている。
また、下記文献２には、液状体を保持する部材１と液状体が毛髪に接触するための部材２とを備えたヘアーブラシが記載されている。
【先行技術文献】
【特許文献】
【０００５】
【特許文献１】実開平１−１６４９０４号公報
【特許文献２】実開平４−１２３１２０号公報
【発明の概要】
【発明が解決しようとする課題】
【０００６】
しかし、上記文献１に記載の毛髪用化粧料塗布具では、櫛歯６の内部の通孔６ａ内に化粧料保持部材７が設けられていることから、櫛歯６によって化粧料保持部材７の露出面積が少なく、化粧料を毛髪に塗布する際にまとまった分量の化粧料を効率的に塗布することは難しかった。
【０００７】
また、上記文献２に記載のヘアーブラシは、液状体を保持させる部材である液状体保持部材１をヘアーブラシに取り付ける際には凹部３に圧入する等して取り付けるもので、特別な部材を用いて取り付ける構成ではなく、塗布を繰り返す内に液状体保持部材１がヘアーブラシから外れてしまう虞があった。
【０００８】
更に、粘度の高い毛髪用化粧料を塗布する場合などは、毛髪に化粧料を付着させながら毛髪を梳く動作を行うと櫛歯に毛髪が絡まるなどして毛髪を頭皮から抜いてしまうこが多々あり、改善が求められていた。
【０００９】
そこで、化粧料を含浸させる塗布部材を外れないように係止し、毛髪と接触する面を多く露出させて化粧料を毛髪等へ効率的に塗布できると共に、化粧料を塗布しながら毛髪を梳く際にも毛が絡みにくい化粧料塗布具を提供することを目的とする。
【課題を解決するための手段】
【００１０】
本発明の化粧料塗布具としては、液状化粧料を含浸可能な弾性体よりなる塗布部材と、棒状の軸部、及び軸部の一方の端に備えられる把持部、及び軸部の他方の端に備えられる塗布部材を係止可能な塗布部を備える本体部と、を備えた化粧料塗布具であって、本体部の塗布部は、軸部から軸線方向へ延びる台座部と、台座部の長手方向に列となり台座部より直立して設けられている複数の櫛歯から成る長手方向櫛歯と、台座部先端の短手方向に列となり台座部より直立して設けられている複数の櫛歯から成る短手方向櫛歯と、台座部に設けられる貫通孔と、台座部から垂直方向に直立し、その頂点部分には台座部の内方向に突出している突起を形成して成り、塗布部材を塗布部に係止するための複数の係止部材と、を更に備え、係止部材の突起は、塗布部に塗布部材を係止する際に塗布部材の天面の端に位置するように設けられていることを特徴としている。
【００１１】
また、長手方向櫛歯は、塗布部に係止されている塗布部材の長手方向の両側に位置するように設けられていることを特徴としている。
【００１２】
また、長手方向櫛歯は、短手方向に沿って複数列が塗布部に設けられていることを特徴としている。
【００１３】
また、塗布部材の天面は、塗布部に係止した際、長手方向櫛歯及び短手方向櫛歯における各櫛歯の頂点位置より低い位置にあることを特徴としている。
【００１４】
また、係止部材は、長手方向櫛歯の櫛歯の間に設けられ、塗布部材の天面の端に突起が位置するように備えられていることを特徴としている。
【００１５】
また、係止部材は、短手方向櫛歯の櫛歯の間に設けられ、塗布部材の天面の端に突起が位置するように備えられていることを特徴としている。
【００１６】
また、係止部材は、長手方向櫛歯及び短手方向櫛歯の櫛歯の間に設けられ、塗布部材の天面の端に突起が位置するように備えられていることを特徴としている。
【００１７】
また、軸部は、軸線方向の途中で屈曲していることを特徴としている。
【００１８】
また、軸部は、外周面軸線方向に延びるようにして少なくとも１以上の角部が形成されていることを特徴としている。
【００１９】
本発明をこのような構成とすることで、塗布部材が外れないように係止することを可能としつつ塗布部材の塗布面を多く露出させることを可能としている。
【発明の効果】
【００２０】
本願発明の化粧料塗布具は、係止部材の突起で塗布部材を塗布部に係止することを可能として塗布部材が塗布部から外れることを防止すると共に液状化粧料を毛髪等へ塗布する際に塗布部材が直接毛髪に触れる面積を多くすることが出来るので、効率的に液状化粧料を塗布することが可能となる。
また、塗布部材が弾性体となっており、長手方向櫛歯と短手方向櫛歯とが列となり直立して備えられていることで、液状化粧料を毛髪に塗布しつつ髪を梳く際に櫛歯に毛髪を絡みにくくすることが可能となる。
【図面の簡単な説明】
【００２１】
【図１】本発明の化粧料塗布具の本体部をボトルに収めたときの全体である。
【図２】第１実施形態の化粧料塗布具の本体部の一部とボトルの断面図を正面から見たときの図である。
【図３】第１実施形態の本体部の斜視図である。
【図４】第１実施形態の本体部の（ａ）底面図、（ｂ）側面図、（ｃ）平面図である。
【図５】第１実施形態の本体部の塗布部を拡大して示している斜視図であり（ａ）は塗布部材を係止していない状態、（ｂ）は塗布部材を係止している状態の図である。
【図６】本発明の化粧料塗布具の使用時における塗布部材の変位を説明するための図である。
【図７】第２実施形態の本体部の（ａ）側面図、（ｂ）平面図である。
【図８】第２実施形態の本体部の斜視図である。
【図９】図７に示す軸部のA-A部分及びB-B部分の各断面図である。
【図１０】第２実施形態の本体部をボトルに装着した際の断面図を正面から見たときの図である。
【発明を実施するための形態】
【００２２】
以下、添付図面を参照して、本発明の実施形態について詳細に説明する。なお、同一又は相当要素には同一符号を付して重複する説明は省略する。
【００２３】
図１は本発明の実施形態に係る化粧料塗布具をボトルに収めたときの全体図、図２は第１実施形態の化粧料塗布具の一部断面図とボトルの断面図、図３は第１実施形態の化粧料塗布具の斜視図、図４は第１実施形態の化粧料塗布具の底面図及び側面図及び平面図、図５は第１実施形態の化粧料塗布具の塗布部を拡大した図、図６は液状化粧料を塗布する際の塗布部材の変位を説明するための図、図７は第２実施形態の化粧料塗布具の側面図及び平面図、図８は第２実施形態の化粧料塗布具の斜視図、図９は第２実施形態のA-A及びB-B部分の断面図、図１０は第２実施形態の本体部をボトルに装着した際の断面図である。
本実施形態においては、染毛料、毛髪用顔料、整髪料のような液状化粧料を毛髪に塗布する為の化粧料塗布具として説明していく。また、本願にいう液状化粧料とは、固形化粧料以外の粘性のある化粧料、半固形状の化粧料を含むものとする。
【００２４】
まず、第１実施形態の化粧料塗布具１００について説明する。
第１実施形態の化粧料塗布具１００は、図１、図２に示すように、液状化粧料Ａを内部に収容可能なボトル２と組み合わせて使用することを可能としている。
なお、本願発明の化粧料塗布具１００と組み合わせ可能とされるのは、図示するボトル２以外にもジャー容器等、液状化粧料を収容可能な容器であればボトル型に限定されるものではない。
【００２５】
図２〜図５には、第１実施形態の化粧料塗布具１００の本体部１の一部断面図、全体図斜視図、三面図、拡大図を示している。そして、これらの図に示すように本体部１は、棒状の軸部３と、この軸部３の一方の端に備えられ本体部１の使用時にユーザが把持する部位としての役割を担う把持部４と、軸部３の他方の端に備えられ毛髪に直接接触して液状化粧料を塗布し、毛髪を梳く役割を担う塗布部材６を係止可能な塗布部５と、から構成されている。
【００２６】
軸部３は、断面が丸い棒状であり、軸線方向の途中で軽く屈曲しており、この屈曲している部分を挟んで基部側３ａと先端側３ｂとに分かれている。また軸部３は、これら基部側３ａと先端側３ｂの軸線が平行となるように平行にシフトした形状（クランク状）とされている。このように軸部３をクランク状とすることで、ユーザが毛髪を梳く場合において、毛髪に塗布部５を接触させやすくなる。
【００２７】
そして、図２に示すように、軸部３の一方の端（基部側３ａの端）には図面上方に向けて若干の先細り形状をした栓体３ｃが設けられ、この栓体３ｃの外周面には後述する把持部４の突条４ｃと係合可能な突条３ｄが軸線方向に複数形成されている。
また、図５に示すように、先端側３ｂには塗布部５に塗布部材６が係止された際に塗布部材６の軸線方向の動きを規制する為の壁３ｅが備えられている。
【００２８】
把持部４は、一方側に開口部４ａを有した円筒状の外形を成し、この開口部４ａ近傍の内周面に図２に示すボトル２の雄螺子２ａと螺合結合可能な雌螺子４ｂが形成されており、さらに内周面には上述した軸部３の栓体３ｃに形成されている突条３ｄと係合可能な突条４ｃが形成されている。
そして、このような構成の把持部４を軸部３の栓体３ｃ（軸部３の一方の端）に開口部ａ側から嵌め込むことで、把持部４と軸部３は、突条３ｄと突条４ｃとの係合により周方向回転不能に係合されると共に軸線方向移動不能に係合される。つまり、把持部４と軸部３とが一体となる。
【００２９】
このように本体部１は、把持部４と軸部３が一体となり、把持部４の雌螺子４ｂとボトル２の雄螺子２ａとが螺合結合可能な構成であることから、本体部１とボトル２とが着脱自在に係合可能となるものである。
【００３０】
塗布部５は、軸部３の把持部４が備えられるのとは反対側である他方の端（先端側３ｂの端）に備えられるもので、塗布部材６を係止して使用される。
この塗布部５の構成としては、軸部３の先端側３ｂの端から軸線方向に水平に延びる台座部５ｅと、この台座部５ｅから垂直方向に直立して設けられる毛髪をとかす為の長手方向櫛歯５ａ及び短手方向櫛歯５ｂと、塗布部５に係止される塗布部材６を係止する為の係止部材５ｃと、を主な構成要素としている。
【００３１】
台座部５ｅは、図４（ｂ）に示すように、軸部３の先端側３ｂから軸線方向に水平に延びており、軸部３の先端側３ｂと台座部５ｅとは同一軸状に形成されている。つまりは台座部５ｅも、軸部３の先端側３ｂと同様に、軸部３の基部側３ａの軸線と平行となる。
また、この台座部５ｅには、図４（ａ）（ｂ）に示す、貫通孔５ｄが複数備えられている。この貫通孔５ｄは液状化粧料を通過させることが可能な孔として形成されている。
【００３２】
なお、図４（ａ）に示すように、本実施形態では貫通孔５ｄの形状を長方形としているが、これが円形や楕円形等でもよく液状化粧料を通過させる役割を果たせればその形状は特に限定しない。
【００３３】
長手方向櫛歯５ａは、図３〜図５に示すように、台座部５ｅから垂直方向に直立するように延びる複数の櫛歯が、台座部５ｅの長手方向の両端に列となり（塗布部５に係止されている塗布部材６の長手方向の両側に列となり）、形成されている。そして、この長手方向櫛歯５ａの先端は、本実施形態では先細り形状としており毛髪をとかしやすい形状となっている。
【００３４】
短手方向櫛歯５ｂは、図３〜図５に示すように、台座部５ｅから垂直方向に直立するように延びる複数の櫛歯が、台座部５ｅの先端部分の短手方向に列となり形成されている。そして、この短手方向櫛歯５ｂにおいても、長手方向櫛歯５ｂと同様に本実施形態では先細り形状とし、毛髪をとかしやすい形状となっている。
【００３５】
係止部材５ｃは、図３〜図５に示すように、台座部５ｅから垂直方向に直立するようにして長手方向櫛歯５ａの各櫛歯間に複数設けられており、その先端には台座部５ｅの内方向に突出している突起５ｃａが形成されている。この突起５ｃａによって後述する塗布部材６の上方への移動を規制する。
また、係止部材５ｃの垂直方向の高さ位置は、長手方向櫛歯５ａ及び短手方向櫛歯５ｂの垂直方向の高さ位置よりも低くなるように形成されている。
【００３６】
そして、このような構成の塗布部５に塗布部材６が係止されることになる。
【００３７】
塗布部材６は、図３〜図５に示すように長方形形状をしており、その素材は発泡ポリウレタン等の連続気泡性発泡材や繊維束が適しているが、一定量の液状化粧料Ａを含浸し保持することができ、圧縮及び復元しやすい弾性を有するものであれば素材は特に限定しない。
【００３８】
そして、塗布部材６は、図示するように周囲を長手方向櫛歯５ａ、短手方向櫛歯５ｂ、係止部材５ｃが囲み、台座部５ｅの貫通孔５ｄを塞ぐようにして塗布部５に係止される。このとき係止部材５ｃの突起５ｃａは、図３や図４に示すように塗布部材６の天面Ｔの端に位置するようにされ、塗布部５に係止される。また、塗布部材６は、天面Ｔを突起５ｃａによって押さえ込まれることになるので、塗布部５に係止された塗布部材６の天面Ｔは、長手方向櫛歯５ａ及び短手方向櫛歯５ｂの頂点位置よりも低い位置にくるように係止される。
【００３９】
ここまで説明してきた第１実施形態の化粧料塗布具１００は、上記のような構成とすることで、少なくとも係止部材５ｃの突起５ｃａにより塗布部５より外れないように塗布部材６を係止可能としていると共に塗布部材６の天面Ｔが図３や図４に示すように突起５ｃａ以外に遮蔽物がなく毛髪に直接接触可能な面積を多くすることができるので、効率よく液状化粧料Ａを塗布することができる。
更に、塗布部材６は、係止部材５ｃにより塗布部５に係止されているが、軸線方向への移動を短手方向櫛歯５ｂと図５に示す軸部３の壁３ｅとによって規制されることで、通常使用においては塗布部５から外れないような構成となっている。
そして、このような構成とすることで、本体部１の把持部４を除いた部分を１パーツで製造することを可能としている。つまり、本願発明の化粧料塗布具１００は、把持部４を抜かした本体部１と把持部４と塗布部材６の３部品によって構成されるので、部品点数を抑え、製造コストを削減することができる。
【００４０】
ここで、第１実施形態の化粧料塗布具１００を実際に使用する際の態様について説明する。
まず、化粧料塗布具１００は、ボトル２と螺合結合しボトル２内部に塗布部５が挿入される。このとき、図４（ａ）（ｂ）に示すように塗布部５に貫通孔５ｄを設けていることで、塗布部材６の天面Ｔからだけではなく、貫通孔５ｄが設けられる塗布部５の底面からも液状化粧料Ａを吸収することを可能としているので、塗布部材６の全体に液状化粧料Ａを効率よく含浸させることができる。
【００４１】
そして、化粧料塗布具１００は、図２に示すようにボトル２に掻き取り部２ｂ備えられていることから、化粧料塗布具１００をボトル２から抜き取る際に長手方向櫛歯５ａ及び短手方向櫛歯５ｂに付着している余分な液状化粧料Ａが掻き取り部２ｂによって掻き取られる。このとき化粧料塗布具１００において、長手方向櫛歯５ａ及び短手方向櫛歯５ｂは、図４（ｂ）に示すようにそれぞれの頂点位置が同一（側面視で頂点位置がフラットな状態）となっており、また、塗布部材６の天面Ｔが各櫛歯の頂点よりも低い位置にあるので、掻き取り部２ｂと塗布部材６が接触することは少なく、各節歯に付着している余分な液状化粧料Ａを均等に掻き取ることが出来ると共に塗布部材６に含浸している液状化粧料Ａが掻き取られることはない。
【００４２】
次いで、化粧料塗布具１００は、ボトル２から抜き取られた後、塗布部５をユーザの毛髪等に押し当てるようにして梳く動作を行うことで塗布部材６に含浸されている液状化粧料Ａを毛髪に塗布できると同時に長手方向櫛歯５ａと短手方向櫛歯５ｂによって毛髪を梳くことが可能となる。
なお、本体部１を使用して毛髪を梳く場合、特にことわりがなければ、塗布部５の軸線方向の横に直交する方向である横方向に本体部１を動かす操作のことをさすものとする。
【００４３】
そして、本体部１においては、塗布部材６の天面Ｔを毛髪に押し当てながら本体部１を動かすことで液状化粧料Ａを毛髪に塗布することになるが、このとき塗布部５に備えられる長手方向櫛歯５ａと短手方向櫛歯５ｂの頂点位置を同一としていることから、図６（ａ）（ｂ）のように、塗布部材６が垂直方向に均一に押しつぶされて含浸している液状化粧料Ａが毛髪に均一に塗布することを可能としている。
また、塗布部材６は、弾性を有していることから、塗布部５を毛髪から離すことで、図６（ｃ）に示すように塗布部材６の形状が復元する。このとき、各櫛歯の間に入り込んでいる毛髪は塗布部材６の復元力により各櫛歯の頂点方向へ押し出されることになるので、毛髪が櫛歯に絡まることを回避することができる。
【００４４】
更に、また、化粧料塗布具１００においては、毛髪の生え際などの狭い範囲をとかしたい場合等は、塗布部５を軸線方向へ移動させるようにして短手方向櫛歯５ｂを用いることで、簡単に狭い部分をとかす等の細かい作業も可能となる。
【００４５】
次いで、第２実施形態の化粧料塗布具２００について説明する。
第２実施形態の化粧料塗布具２００は、第１実施形態の化粧料塗布具１００と同様に図１に示すボトル２と組み合わせて使用することを可能としている。
なお、第２実施形態の化粧料塗布具２００においては、図示するボトル２のように細長い形状の容器の使用を想定している。
【００４６】
この第２実施形態の化粧料塗布具２００と第１実施形態の化粧料塗布具１００との違いは、図７〜図１０に示すように化粧料塗布具２００には、本体部２０１の軸部３の外周面に角部２０３が設けられている点である。その他の構成は、第１実施形態の化粧料塗布具１００と同様の構成を有している。
なお、図７、図８には、塗布部５に塗布部材６が係止されていない化粧料塗布具２００を示しているが、化粧料塗布具２００の使用に際しては、当然塗布部５に塗布部材６が係止されて使用される。
【００４７】
角部２０３は、図示すように、軸部３の屈曲している部分から先端側３ｂへかけて軸部３の外周面軸線方向に延びるようにして形成されている。このとき角部２０３は、図７（ａ）に表している軸部３の図面上の上側の外周面軸線方向に形成される。これは、図１０に示すように、本体部２０１の軸部３をボトル２へ挿入したときに、屈曲することでボトル２の内周壁に最も近づく軸部３の先端側３ｂの外周面から基部側３ａへ軸線方向に延びるようにして形成されるということでもある。
【００４８】
図９は、図７（ａ）に示す軸部３のA-A部分の断面図であるが、この図９に示すように角部２０３はその断面視で鈍角な１つの角であり、軸部３の角部２０３が形成されている部分の断面で見ると涙型となっている。
【００４９】
このような形状の角部２０３を設けた軸部３を有する本体部２０１は、細径で内部に液状化粧料Ａを収容可能とし、この液状化粧料Ａを撹拌する為の撹拌球Ｋを備えているボトル容器に使用されることを想定している。このようなボトル容器（図１及び図１０に示すボトル２）においては、角部２０３を有していない断面が丸くボトル２の内周壁へ近づくように屈曲している軸部３をボトル２へ挿入すると、軸部３とボトル２の内周壁との距離は軸部３の基端側３ａから先端側３ｂに向けて徐々に狭くなっていき、このような軸部３をボトル２から引き抜く際、軸部３とボトル２の内周壁の間に撹拌球Ｋが挟まり引き抜けない状態になる場合があった。
しかし、角部２０３を軸部３が備えることで、撹拌球Ｋが軸部３とボトル２の内周壁との隙間に入り込んできても、角部２０３の鈍角な角が撹拌球Ｋを軸部３とボトル２の内周壁との隙間から逃がすことが出来る。
【００５０】
上述してきた、角部２０３を備える第２実施形態の化粧料塗布具２００は、この角部２０３以外の構成は第１実施形態の化粧料塗布具１００と同じであるので、化粧料塗布具１００と同様の作用、効果を得ることが出来る。そして、角部２０３を備えることで、軸部３とボトル２の内周壁との隙間に撹拌球Ｋが挟み込まれることを防止することが出来るものである。
【００５１】
また、本第２実施形態では、角部２０３は軸部３の屈曲している部分から先端側３ｂにかけて形成されているが、これが基端側３ａから先端側３ｂにかけて軸部３の全長にわたって形成されてもよく、２以上の複数が設けられるようにしてもよい。
なお、角部２０３は、鈍角でなくても鋭角な角を有していても良く、また、撹拌球Ｋを軸部３とボトル２の内周壁との隙間に挟み込まないような形状であれば、角部２０３の角にアール（丸み）が形成されていてもよい。
【００５２】
以上、本発明をその実施形態に基づき具体的に説明したが、本発明は上記実施形態に限定されるものではない。
【００５３】
塗布部５の構成として本実施形態では、長手方向櫛歯５ａを、塗布部５に係止されている塗布部材６の長手方向の両側に一列ずつ備えているが、これが短手方向に沿うように複数列が形成されるようにしてもよい。つまり、例えば、長手方向櫛歯５ａを塗布部材６の長手方向の両側に二列ずつ形成するとなると、塗布部５が備える長手方向櫛歯５ａは計四列となる。
また、短手方向櫛歯５ｂの構成についても同様に、台座部５ｅの先端部分に長手方向に沿うように複数列が塗布部５に形成されるようにしてもよい。
【００５４】
また、係止部材５ｃは、塗布部５の長手方向櫛歯５ａの櫛歯の間に設けるだけではなく、軸線方向に設けるようにしてもよい。つまり、短手方向櫛歯５ｂの櫛歯の間や壁３ｅの前手付近に設けるようにしてもよい。
【符号の説明】
【００５５】
1,201 本体部、2 ボトル、2a 雄螺子、2b 掻き取り部、3 軸部、3a 基部側、3b 先端側、3c 栓体、3d 突条、3e 壁、4 把持部、4a 開口部、4b 雌螺子、4c 突条、5 塗布部、5a 長手方向櫛歯、5b 短手方向櫛歯、5c係止部材、5ca 突起、5d 貫通孔、5e 台座部、6 塗布部材、203  角部、100,200
化粧料塗布具、A 液状化粧料、T 天面、K  撹拌球
【図１】
0005258004.tif 000002
【図２】
0005258004.tif 000003
【図３】
0005258004.tif 000004
【図４】
0005258004.tif 000005
【図５】
0005258004.tif 000006
【図６】
0005258004.tif 000007
【図７】
0005258004.tif 000008
【図８】
0005258004.tif 000009
【図９】
0005258004.tif 000010
【図１０】
0005258004.tif 000011